(57)【要約】【課題】メディアゲートウェイの伝送経路を分担管理する複数のサーバの中から最適なサーバに信号処理を振り分け、耐障害性の高いゲートウェイ装置を提供する。【解決手段】ゲートウェイ装置は、サーバ側信号送受信部１１ａによりＡＴＭ網５及びＩＰ網７の網間で通信される信号を送受信して信号識別子生成部１１ｂにより信号識別子を生成してメディアゲートウェイ手段３を介する伝送経路４の各々に対応付けられた複数のメディアゲートウェイ制御サーバ１１を統括して伝送処理を行うメディアゲートウェイ制御機能手段１と、信号送受信部２１によりこの信号を送受信し、信号識別子抽出部２２によりこの信号識別子を抽出し、振り分け機能部２３によりこのメディアゲートウェイ制御サーバ１１に対して分配制御するシグナリングゲートウェイ制御手段２を備える構成であり、耐障害性を高める。【選択図】    図１
2009225171.tif 000002
【特許請求の範囲】
【請求項１】
ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能手段と、前記メディアゲートウェイ制御機能手段の前記メディアゲートウェイ制御サーバに対して前記信号を分配制御するシグナリングゲートウェイ制御手段とを備えるゲートウェイ装置において、
前記メディアゲートウェイ制御機能手段が、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成部を備え、
前記シグナリングゲートウェイ制御手段が、前記第一の信号と同一のトランザクションであり前記第一の信号に後続する第二の信号の受信時に、当該第二の信号に含まれる信号識別子を抽出する信号識別子抽出部、及び、当該抽出された信号識別子に基づいて特定されるメディアゲートウェイ制御サーバに対して当該第二の信号の送受信処理を振り分けて指示する振り分け機能部を備えることを
特徴とするゲートウェイ装置。
【請求項２】
請求項１に記載のゲートウェイ装置において、
前記メディアゲートウェイ制御機能手段の前記信号識別子生成部は、前記第一の信号の受信の都度に更新される通し番号を生成し、当該生成された通し番号及び前記メディアゲートウェイ制御サーバに固有の識別情報から構成される前記信号識別子を生成することを
特徴とするゲートウェイ装置。
【請求項３】
請求項１又は請求項２に記載のゲートウェイ装置において、
前記メディアゲートウェイ制御機能手段が、前記信号識別子の生成時に前記メディアゲートウェイ制御サーバにおけるシステム的な負荷状況に関する負荷情報を収集する負荷情報収集部を備え、前記信号識別子生成部は、当該負荷情報収集部が収集した前記負荷情報を含む前記信号識別子を生成し、
前記シグナリングゲートウェイ制御手段が、前記第一の信号の送受信時に前記信号識別子抽出部により抽出された前記負荷情報に基づいて当該負荷情報を少なくとも管理するサーバ負荷情報管理部を備え、前記振り分け機能部は、当該サーバ負荷情報管理部により管理される最新の前記負荷情報に基づいて前記負荷状況の最も低い前記メディアゲートウェイ制御サーバを選択して前記第一の信号を振り分けることを
特徴とするゲートウェイ装置。
【請求項４】
請求項３に記載のゲートウェイ装置において、
前記シグナリングゲートウェイ制御手段が、前記負荷情報の有効性に関する所定の有効期限を保持し、所定の前記メディアゲートウェイ制御サーバに関する前記負荷情報に対して最後の更新時から当該有効期限の時間内に更新されたか否かを判定する有効期限判定部を備え、前記振り分け機能部は、当該有効期限判定部の判定結果に基づいて前記メディアゲートウェイ制御サーバに対して前記第一の信号の送受信処理を振り分けて指示することを
特徴とするゲートウェイ装置。
【請求項５】
ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能工程と、前記メディアゲートウェイ制御機能工程の前記メディアゲートウェイ制御サーバに対して前記信号を分配制御するシグナリングゲートウェイ制御工程とを備えるゲートウェイ方法において、
前記メディアゲートウェイ制御機能工程は、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成工程を含み、
前記シグナリングゲートウェイ制御工程は、前記第一の信号と同一のトランザクションであり前記第一の信号に後続する第二の信号の受信時に、当該第二の信号に含まれる信号識別子を抽出する信号識別子抽出工程、及び、当該抽出された信号識別子に基づいて特定されるメディアゲートウェイ制御サーバに対して当該第二の信号の送受信処理を振り分けて指示する振り分け工程を含むことを
特徴とするゲートウェイ方法。
【請求項６】
ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能手段と、前記メディアゲートウェイ制御機能手段の前記メディアゲートウェイ制御サーバに対して前記信号を分配制御するシグナリングゲートウェイ制御手段としてコンピュータを機能させるゲートウェイプログラムにおいて、
前記メディアゲートウェイ制御機能手段は、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成部としてコンピュータを機能させ、
前記シグナリングゲートウェイ制御手段は、前記第一の信号と同一のトランザクションであり前記第一の信号に後続する第二の信号の受信時に、当該第二の信号に含まれる信号識別子を抽出する信号識別子抽出部、及び、当該抽出された信号識別子に基づいて特定されるメディアゲートウェイ制御サーバに対して当該第二の信号の送受信処理を振り分けて指示する振り分け機能部としてコンピュータを機能させることを
特徴とするゲートウェイプログラム。
【発明の詳細な説明】
【技術分野】
【０００１】
ＩＭＳアーキテクチャに準拠したＩＰ網と既存のＡＴＭ網との電気通信を実現するゲートウェイ装置に関する。
【背景技術】
【０００２】
背景技術は、特開２００２−８４３６３号公報に開示されるものがある。
前記背景技術に係るゲートウェイ装置としての、ゲートウェイシステム及びそれに用いる回線制御方法は、全て同一の信号局コードを持ち、交換機との間の信号リンクを同一とする信号リンクグループに属する複数のＭＧＣで構成されるＭＧＣグループと、予め自装置を制御するＭＧＣグループの各ＭＧＣのＩＰアドレスを登録、保持し、着信号局コードと回線識別コードとによってＭＧＣから識別される通信回線を介して交換機との間で通信を行うメディアゲートウェイとを備える構成であり、既存電話網を通じてＩＰネットワークサービスの利用を可能とする。
【特許文献１】特開２００２−８４３６３号公報
【発明の開示】
【発明が解決しようとする課題】
【０００３】
近年、既存の電話交換機からＩＰ電話への移行が進み、その移行段階では既存電話網とＩＰ電話網を併用させ徐々に既存電話網の交換機の台数を減らすことが求められている。この解決策として、既存電話網とのインターフェース機能をゲートウェイ装置に搭載することが検討されている。この場合、ＡＴＭ網におけるＮｏ．７共通線信号方式のうちＩＳＤＮの呼制御アプリケーションを実施する網間信号インターフェースであるＢｒｏａｄｂａｎｄ ＩＳＤＮ Ｕｓｅｒ Ｐａｒｔ（以下、Ｂ−ＩＳＵＰと略記）信号に含まれるＯｒｉｇｉｎａｔｅ Ｓｉｇｎａｌｉｎｇ Ｉｄｅｎｔｉｆｉｅｒ；送信元信号識別子（以下、ＯＳＩＤと略記）等のトランザクションを一意に識別する送信元信号識別子に関する情報とそのトランザクションを処理しているＭＧＣＳ（Ｍｅｄｉａ Ｇａｔｅｗａｙ Ｃｏｎｔｒｏｌ Ｓｅｒｖｅｒ）との関連付け情報を、内部メモリにデータとして保持していることから、当該既存電話網とのインターフェース機能を有するコンピュータの再起動による処理再開に伴い、この内部メモリのデータを消失してしまい、呼が確立している呼に関連する通信データであっても、その通信データを対応しているＭＧＣＳへ振り分けができなくなるという問題が発生する。また、消失した既存電話網で発生した呼と当該呼が対応付けられるＭＧＣＳとの対応関係を再構築する必要があるという課題を有する。また、既存電話網とＩＰ電話網との間で発生した呼と当該呼が振り分けられるＭＧＣＳとの対応関係を再構築する際には、前記ＭＳＧＳの稼働状況やＬＡＮの障害等の通信回線の障害状況に応じてトランザクションの整合性を担保するためのシステム復旧制御も考慮しなければならないことから、複雑な処理が必要となる。
【０００４】
本発明は前記課題を解消するためになされたもので、システムの利用者及び負荷の規模に応じた柔軟な機能拡張性（ｓｃａｌａｂｉｌｉｔｙ；以下、スケーラビリティと略記）を考慮して複数構成されたサーバにより伝送経路を分担して管理するメディアゲートウェイにおいて、システム障害発生時にも複数のサーバの中から最適なサーバに対して信号処理を振り分けることにより伝送データの損失を軽減してシステム復旧制御の軽減化を図り、さらに通常稼動時にもこの複数サーバ間の負荷バランスの適正化によりシステム負荷を軽減するゲートウェイ装置の提供を目的とする。
【課題を解決するための手段】
【０００５】
本発明に係るゲートウェイ装置は、ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能手段と、前記メディアゲートウェイ制御機能手段の前記メディアゲートウェイ制御サーバに対して前記信号を分配制御するシグナリングゲートウェイ制御手段とを備えるゲートウェイ装置において、前記メディアゲートウェイ制御機能手段が、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成部を備え、前記シグナリングゲートウェイ制御手段が、前記第一の信号と同一のトランザクションであり前記第一の信号に後続する第二の信号の受信時に、当該第二の信号に含まれる信号識別子を抽出する信号識別子抽出部、及び、当該抽出された信号識別子に基づいて特定されるメディアゲートウェイ制御サーバに対して当該第二の信号の送受信処理を振り分けて指示する振り分け機能部を備えるものである。
【０００６】
このように本発明によれば、前記メディアゲートウェイ制御機能手段が、ＡＴＭ網又はＩＰ網からの呼又はコネクション確立に関する第一の信号に対して少なくとも前記メディアゲートウェイ制御サーバに固有の識別情報を含みトランザクションを一意に識別する前記信号識別子を生成し、前記シグナリングゲートウェイ制御手段が、前記第一の信号と同一のトランザクションであり前記第一の信号に後続する第二の信号の受信時に、信号識別子抽出部により当該第二の信号に含まれる前記信号識別子を抽出し、当該抽出された前記信号識別子に基づいて特定される前記メディアゲートウェイ制御サーバに対して振り分け機能部により当該第二の信号の送受信処理を振り分けて指示することから、一意な前記信号識別子に前記メディアゲートウェイ制御サーバを識別する情報を含め、この信号識別子に基づいて前記メディアゲートウェイ制御サーバを特定できることとなり、前記シグナリングゲートウェイ制御手段により内部メモリにデータを保持することなく前記メディアゲートウェイ制御サーバの振り分けを行うことができるため、システム障害発生時にも呼の整合処理を不要としてデータ通信を継続して行うことができ、システム復旧制御を簡素化することができる。
【０００７】
また、本発明に係るゲートウェイ装置は必要に応じて、前記メディアゲートウェイ制御機能手段の前記信号識別子生成部は、前記第一の信号の受信の都度に更新される通し番号を生成し、当該生成された通し番号及び前記メディアゲートウェイ制御サーバに固有の識別情報から構成される前記信号識別子を生成するものである。このように本発明によれば、前記メディアゲートウェイ制御機能手段の前記信号識別子生成部が、前記第一の信号の受信の都度に更新される通し番号を生成し、当該通し番号及び前記メディアゲートウェイ制御サーバに固有の識別情報から構成される前記信号識別子を生成することから、前記信号識別子に含まれる通番において値の連続性を確保できることとなり、連続すべき通番の欠落に基づいて伝送障害及びシステム障害等による通信データの損失を容易に検出することができる。
【０００８】
また、本発明に係るゲートウェイ装置は必要に応じて、前記メディアゲートウェイ制御機能手段が、前記信号識別子の生成時に前記メディアゲートウェイ制御サーバにおけるシステム的な負荷状況に関する負荷情報を収集する負荷情報収集部を備え、前記信号識別子生成部は、当該負荷情報収集部が収集した前記負荷情報を含む前記信号識別子を生成し、前記シグナリングゲートウェイ制御手段が、前記第一の信号の送受信時に前記信号識別子抽出部により抽出された前記負荷情報に基づいて当該負荷情報を少なくとも管理するサーバ負荷情報管理部を備え、前記振り分け機能部は、当該サーバ負荷情報管理部により管理される最新の前記負荷情報に基づいて前記負荷状況の最も低い前記メディアゲートウェイ制御サーバを選択して前記第一の信号を振り分けるものである。
このように本発明によれば、前記メディアゲートウェイ制御機能手段が、前記信号識別子の生成時に前記メディアゲートウェイ制御サーバの負荷情報を負荷情報収集部により収集し、前記信号識別子生成部により前記負荷情報をさらに含む前記信号識別子を生成し、前記シグナリングゲートウェイ制御手段が、前記第一の信号の送受信時に前記信号識別子抽出部により抽出された前記負荷情報を管理するサーバ負荷情報管理部を備え、前記サーバ負荷情報管理部による前記最新負荷情報に基づいて前記負荷状況の最も低い前記メディアゲートウェイ制御サーバを選択して前記第一の信号を振り分けることから、前記シグナリングゲートウェイ制御手段により最低負荷状態の前記メディアゲートウェイ制御サーバに対して前記第一の信号を振り分けることとなり、過負荷状態の前記メディアゲートウェイ制御サーバへの振り分けを防止することができ、輻輳等の伝送障害を未然防止することができる。また、最低負荷状態の前記メディアゲートウェイ制御サーバが呼確立処理を行うため、呼損失を最小限に抑えることができる。
【０００９】
また、本発明に係るゲートウェイ装置は必要に応じて、前記シグナリングゲートウェイ制御手段が、前記負荷情報の有効性に関する所定の有効期限を保持し、所定の前記メディアゲートウェイ制御サーバに関する前記負荷情報に対して最後の更新時から当該有効期限の時間内に更新されたか否かを判定する有効期限判定部を備え、前記振り分け機能部は、当該有効期限判定部の判定結果に基づいて前記メディアゲートウェイ制御サーバに対して前記第一の信号の送受信処理を振り分けて指示するものである。
このように本発明によれば、前記シグナリングゲートウェイ制御手段が、前記負荷情報の有効性に関する所定の有効期限を用いて、最後の信号処理から当該有効期限内に一度も信号処理を行わなかった前記メディアゲートウェイ制御サーバを有効期限判定部により検知し、前記振り分け機能部により当該メディアゲートウェイ制御サーバに前記第一の信号の送受信処理を振り分けることから、信号処理を一定時間振り分けていない前記メディアゲートウェイ制御サーバに対して最優先で前記第一の信号を振り分けることとなり、前記メディアゲートウェイ制御サーバ間の信号処理の負荷バランスを適正化することができる。
【発明を実施するための最良の形態】
【００１０】
（本発明の第１の実施形態）
以下、本発明の第１の実施形態に係るゲートウェイ装置を、図１から図６に基づいて説明する。
この図１は本発明の第１の実施形態に係るゲートウェイ装置の構成を示すブロック図、図２は図１に記載されたゲートウェイ装置のシーケンス図、図３は図１に記載されたゲートウェイ装置のＡＴＭ網からの発信によるフローチャート、図４は図１に記載されたゲートウェイ装置の振り分け機能部のフローチャート、図５は図１に記載されたゲートウェイ装置の信号識別子のデータレイアウト及び信号識別子生成のフローチャート、図６は図１に記載されたゲートウェイ装置のＩＰ網からの発信によるフローチャートを示す。
【００１１】
図１において、本発明の第１の実施形態に係るゲートウェイ装置は、ＩＰ技術を用いてマルチメディアサービスを実現する通信方式であり第３世代携帯電話規格の標準化団体の３ｒｄ Ｇｅｎｅｒａｔｉｏｎ Ｐａｒｔｎｅｒｓｈｉｐ Ｐｒｏｊｅｃｔ（３ＧＰＰ）及び３ｒｄ Ｇｅｎｅｒａｔｉｏｎ Ｐａｒｔｎｅｒｓｈｉｐ Ｐｒｏｊｅｃｔ ２（３ＧＰＰ２）により標準化されたＩＰ  Ｍｕｌｔｉ  ｍｅｄｉａ  Ｓｕｂｓｙｓｔｅｍ（ＩＭＳ）アーキテクチャに準拠し、ＡＴＭ網５及びＩＰ網７の網間で通信される信号をメディアゲートウェイ手段３を介して伝送する複数の伝送経路４の各々に対応付けられる複数のメディアゲートウェイ制御サーバ１１を統括して伝送処理を行うメディアゲートウェイ制御機能手段１と、このメディアゲートウェイ制御サーバ１１に対してこの信号を分配制御するシグナリングゲートウェイ制御手段２を備える構成である。
【００１２】
また、前記メディアゲートウェイ制御サーバ１１は、前記シグナリングゲートウェイ制御手段２と前記信号を送受信し、前記メディアゲートウェイ制御サーバ１１、１２及び１３の各々に割り当てられた前記伝送経路４１、４２及び４３と前記信号を送受信するサーバ側信号送受信部１１ａと、前記ＡＴＭ網５又は前記ＩＰ網６からの呼又はコネクション確立に関する信号に対して前記メディアゲートウェイ制御サーバ１１を区別でき且つ一意な信号識別子を生成する信号識別子生成部１１ｂを備える構成である。
【００１３】
また、前記シグナリングゲートウェイ制御手段２は、Ｎｏ．７共通線信号方式網６及び前記メディアゲートウェイ手段３からの信号を受信し、前記メディアゲートウェイ制御サーバ１１に対してこの信号を送受信する信号送受信部２１、前記ＡＴＭ網５又は前記ＩＰ網７からの呼確立信号と同一のトランザクションであり、前記呼確立信号に後続する後続信号の受信時には前記後続信号に含まれる前記信号識別子を抽出する信号識別子抽出部２２、及び、前記呼確立信号の受信時には、前記呼確立信号を伝送する前記伝送経路４を特定する局情報２ａを参照して、前記呼確立信号を伝送する前記伝送経路４を管理する前記メディアゲートウェイ制御サーバ１１に対して、前記呼確立信号の送受信処理を振り分けて指示を行い、前記後続信号の受信時には、信号識別子抽出部２２から抽出された前記信号識別子に基づいて特定される前記メディアゲートウェイ制御サーバ１１に対して、前記後続信号の送受信処理を振り分けて指示を行う振り分け機能部２３を備える構成である。
【００１４】
なお、以下、前記メディアゲートウェイ制御機能手段１をＭＧＣＦ（Ｍｅｄｉａ Ｇａｔｅｗａｙ Ｃｏｎｔｒｏｌ Ｆｕｎｃｔｉｏｎ）１、前記シグナリングゲートウェイ制御手段２をＳＧＣＦ（Ｓｉｇｎａｌｉｎｇ Ｇａｔｅｗａｙ Ｃｏｎｔｒｏｌ Ｆｕｎｃｔｉｏｎ）２、前記メディアゲートウェイ手段３をＭＧ（Ｍｅｄｉａ Ｇａｔｅｗａｙ）３及び前記メディアゲートウェイ制御サーバ１１をＭＧＣＳ（Ｍｅｄｉａ Ｇａｔｅｗａｙ Ｃｏｎｔｒｏｌ Ｓｅｒｖｅｒ）１１と略記する。
【００１５】
以下、前記構成に基づく本ゲートウェイ装置の動作について説明する。
本ゲートウェイ装置の前記ＡＴＭ網５からの発信による処理の流れに関して、前記ＳＧＣＦ２は、図２（ａ）及び図３に示すように、前記ＡＴＭ網５から呼確立のために前記Ｂ−ＩＳＵＰに準拠したＩｎｉｔｉａｌ Ａｄｄｒｅｓｓ Ｍｅｓｓａｇｅ信号（以下、ＩＡＭ信号と略記）を受信する（Ｓ１）。このＩＡＭ信号は、前記伝送経路４を一意に特定するＶｉｒｔｕａｌ Ｐａｔｈ Ｉｄｅｎｔｉｆｉｅｒ；仮想パス識別子（ＶＰＩ）、Ｖｉｒｔｕａｌ Ｃｈａｎｎｅｌ  Ｉｄｅｎｔｉｆｉｅｒ；仮想チャネル識別子（ＶＣＩ）及びＣｈａｎｎｅｌ Ｉｄｅｎｔｉｆｉｅｒ；チャネル識別子（ＣＩＤ）で構成される伝送経路情報を含む。
【００１６】
前記ＳＧＣＦ２は、前記振り分け機能部２３により、前記Ｓ１で受信した信号を処理する前記ＭＧＣＳ１を振り分けて送信する。前記振り分け機能部２３は、図４に示すように、この振り分け送信の処理に関して、まず前記Ｓ１で受信した信号を前記ＩＡＭ信号か否かを判定する（Ｓ２１）。
前記振り分け機能部２３は、この判定により、この信号が前記ＩＡＭ信号に該当する場合には、前記ＩＡＭ信号に含まれる前記伝送経路情報を抽出する（Ｓ２２）。次に、前記振り分け機能部２３は、前記局情報２ａに基づいて前記伝送経路情報から一意に特定された前記伝送経路４を管理する前記ＭＧＣＳ１を識別するＭＧＣＳ番号を抽出する（Ｓ２３）。
【００１７】
前記信号送受信部２１は、図２に示すように、前記振り分け機能部２３により前記Ｓ２３で抽出されたＭＧＣＳ番号で識別されるＭＧＣＳ１１に前記ＩＡＭ信号を送信する（Ｓ２）。前記ＭＧＣＳ１１は、前記サーバ側信号送受信部１１ａにより、前記ＩＡＭ信号を受信する。
前記ＭＧＣＳ１１は、前記信号識別子生成部１１ｂにより、識別子としてＳｉｇｎａｌｉｎｇ Ｉｄｅｎｔｉｆｉｅｒ；信号識別子（以下、ＳＩＤと略記）を生成する。このＳＩＤは、図５（ａ）に示すように、前記ＭＧＣＳ１１に固有の番号であるＭＧＣＳ番号及び通番から構成することもできる。
【００１８】
このＳＩＤは、生成の都度に更新されるこの通番により容易に一意性を担保することができる。また、このＳＩＤは、この通番により値の連続性を確保できることとなり、連続すべきこの通番の欠落に基づいて伝送障害及びシステム障害等による通信データの損失を容易に検出することができる
また、前記信号識別子生成部１１ｂは、前記ＭＧＣＳ番号及び通番として前記ＳＩＤを生成する場合には、前記ＳＩＤ生成の流れに関して、同図（ｂ）に示すように、まず受信した信号に対して前記ＩＡＭ信号か否かを判定する（Ｓ３１）。前記信号識別子生成部１１ｂは、この判定によりこの信号が前記ＩＡＭ信号に該当する場合には、前記ＭＧＣＳ１の各々に固有の番号であるＭＧＣＳ番号を前記ＳＩＤのＭＧＣＳ番号欄に設定する（Ｓ３２）。また、前記信号識別子生成部１１ｂは、前記ＳＩＤの通番欄に通番を設定する（Ｓ３３）。
【００１９】
また、生成される前記ＳＩＤの例としては、例えば前記ＭＧＣＳ１１に固有の番号である０１及び通番として００００１を採番された場合には”０１００００１”となる。また同様に、前記ＳＩＤは、前記ＭＧＣＳ１３に固有の番号である０３及び通番として００１２３を採番された場合には”０３００１２３”となる。また、前記信号識別子生成部１１ｂは、前記Ｓ３１の判定において、受信した信号が前記ＩＡＭ信号に該当しない場合には、トランザクションの一意性を担保する前記Ｂ−ＩＳＵＰの規約に従い前記ＳＩＤの生成を行わない。
前記ＭＧＣＳ１１は、前記サーバ側信号送受信部１１ａにより、前記ＩＡＭ信号の応答信号となるＩｎｉｔｉａｌ Ａｄｄｒｅｓｓ Ａｃｋｎｏｗｌｅｄｇｍｅｎｔ信号（以下、ＩＡＡ信号と略記）のＯｒｉｇｉｎａｔｅ Ｓｉｇｎａｌｉｎｇ Ｉｄｅｎｔｉｆｉｅｒ；送信元信号識別子（以下、ＯＳＩＤと略記）項目に、前記ＳＩＤの内容を設定する。前記ＭＧＣＳ１１は、前記サーバ側信号送受信部１１ａにより、このＩＡＡ信号を前記ＳＧＣＦ２に送信する（Ｓ３）
【００２０】
前記ＳＧＣＦ２は、前記信号送受信部２１により、前記ＩＡＡ信号を受信し、前記ＩＡＭ信号の送信元宛に前記ＩＡＡ信号を前記ＡＴＭ網５に対して送信する（Ｓ４）。この後、前記ＳＧＣＦ２は、前記信号送受信部２１により、前記ＩＡＡ信号及び前記ＩＡＭ信号に後続する同一トランザクションとして、例えば、前記Ｂ−ＩＳＵＰに準拠した呼切断信号であるＲｅｌｅａｓｅ信号（以下、ＲＥＬ信号と略記）を受信する（Ｓ５）。
前記ＳＧＣＦ２は、前記信号識別子抽出部２２により、前記図４に示すように、前記Ｓ２１の判定において受信した信号が前記ＩＡＭ信号に該当しない場合、前記ＲＥＬ信号のＤｅｓｔｉｎａｔｉｏｎ Ｓｉｇｎａｌｉｎｇ Ｉｄｅｎｔｉｆｉｅｒ；送信先信号識別子（以下、ＤＳＩＤと略記）項目から前記ＭＧＣＳ番号を抽出する（Ｓ２４）。なお、前記ＩＡＭ信号に後続する前記ＩＡＭ信号と同一のトランザクションである総ての信号は、前記Ｂ−ＩＳＵＰの通信手順の規約において、前記ＩＡＭ信号の送信元に受信された前記ＩＡＡ信号に含まれる前記ＯＳＩＤ項目の内容を前記ＤＳＩＤ項目に一律に設定される。
【００２１】
この規約に基づいて、前記ＳＧＣＦ２は、前記ＭＧＣＳ番号を常に抽出できることとなり、前記ＩＡＭ信号に後続する前記信号と前記伝送経路４との関連状況を管理する内部メモリを別途必要としないことから、システム障害時においても、この内部メモリの消失による呼損失を発生させず、受信した前記信号を適切な伝送経路４に振り分けることができる。このように、前記ＳＧＣＦ２は、障害時にも安定して動作することからシステムの可用性である前記アベイラビリティを向上させることができる。この後、前記ＳＧＣＦ２は、図２（ａ）及び図３に示すように、前記信号識別子抽出部２２により、抽出された前記ＭＧＣＳ番号に対応した前記ＭＧＣＳ１１に前記ＲＥＬ信号を送信する（Ｓ６）。
【００２２】
また、本ゲートウェイ装置のＩＰ網７からの発信による処理の流れに関して、図２（ｂ）及び図６に示すように、前記ＭＧＣＳ１２は、前記サーバ側信号送受信部１１ａにより、ＩＰ網７の呼制御プロトコルであるＳｅｓｓｉｏｎ Ｉｎｉｔｉａｔｉｏｎ Ｐｒｏｔｏｃｏｌ（以下、ＳＩＰと略記）の呼確立のための信号であるＩＮＶＩＴＥ信号を前記ＩＰ網７から受信する（Ｓ１１）。なお、前記ＳＩＰは、インターネット技術標準化団体Ｉｎｔｅｒｎｅｔ Ｅｎｇｉｎｅｅｒｉｎｇ Ｔａｓｋ Ｆｏｒｃｅ（ＩＥＴＦ）により策定され、アプリケーション層において複数の接続先に対してデータ交換を行うために必要なセッション制御、即ち呼制御を行う呼制御プロトコルである。
【００２３】
前記ＭＧＣＳ１２は、前記信号識別子生成部１１ｂにより、前記ＳＩＤを生成する。前記ＭＧＣＳ１２は、前記サーバ側信号送受信部１１ａにより、前記ＡＴＭ網５への呼確立のために前記ＩＮＶＩＴＥ信号を前記ＩＡＭ信号に変換し、前記ＩＡＭ信号の前記ＯＳＩＤ項目に前記ＳＩＤの内容を設定する。前記ＭＧＣＳ１２は、前記サーバ側信号送受信部１１ａにより、前記ＩＡＭ信号を前記ＳＧＣＦ２に送信する（Ｓ１２）。
【００２４】
前記ＳＧＣＦ２は、前記信号送受信部２１により、前記ＩＡＭ信号を受信し、前記ＩＡＭ信号の送信先宛に前記ＩＡＭ信号を前記ＡＴＭ網５に送信する（Ｓ１３）。この後、前記ＩＡＭ信号の応答信号となる前記ＩＡＡ信号を前記ＡＴＭ網５から受信する（Ｓ１４）。前記ＳＧＣＦ２は、前記信号識別子抽出部２２により、前記ＩＡＡ信号の前記ＤＳＩＤ項目から前記ＭＧＣＳ番号を抽出する。
【００２５】
前記ＳＧＣＦ２は、前記信号識別子抽出部２２により、抽出された前記ＭＧＣＳ番号に対応した前記ＭＧＣＳ１２に前記ＩＡＡ信号を送信する（Ｓ１５）。この後、前記ＳＧＣＦ２は、前記信号送受信部２１により、このＩＡＡ信号及び前記ＩＡＭ信号に後続する同一トランザクションとして、例えば、前記Ｂ−ＩＳＵＰに準拠したアドレス完了信号であるＡｄｄｒｅｓｓ Ｃｏｍｐｌｅｔｅ Ｍｅｓｓａｇｅ信号（以下、ＡＣＭ信号と略記）を受信する（Ｓ１６）
【００２６】
前記ＳＧＣＦ２は、前記信号識別子抽出部２２により、前記ＡＣＭ信号の前記ＤＳＩＤ項目から前記ＭＧＣＳ番号を抽出する。この後、前記ＳＧＣＦ２は、前記信号送受信部２１により、抽出された前記ＭＧＣＳ番号に対応した前記ＭＧＣＳ１２に前記ＡＣＭ信号を送信する（Ｓ１７）。
また、本実施形態に係るゲートウェイ装置を構成する各機器のハードウエア構成は、装置全体の制御を司るＣＰＵ、このＣＰＵのワークエリアとして使用されてブートプログラム等の記憶等にも使用されるメモリ、このＣＰＵの制御により書き込まれたデータを記憶する大容量記憶装置、文書や画像等の各種データを表示するディスプレイ、この装置とＬＡＮ／ＷＡＮに接続されたネットワークのデータ送受信を司る通信装置、複数のキーを備えて押下されたキーに対応するデータを電気的信号に変換するキーボード、本体下部のボールの回転動作及び本体上部の各ボタンのＯＮ／ＯＦＦを電気的信号に変換するマウス、このキーボード及びこのマウスからの電気的信号をこの装置内部へ随時入力する入力装置及び上記各部を接続するバスからなる。
【００２７】
（本発明の第２の実施形態）
以下、本発明の第２の実施形態に係るゲートウェイ装置を、図７から図１３に基づいて説明する。
この図７は本発明の第２の実施形態に係るゲートウェイ装置の構成を示すブロック図、図８は図７に記載されたゲートウェイ装置の移動局とＡＴＭ網又はＩＰ網との接続構成図、図９は図７に記載されたゲートウェイ装置のシーケンス図、図１０は図７に記載されたゲートウェイ装置のＡＴＭ網からの発信によるフローチャート、図１１は図７に記載されたゲートウェイ装置の振り分け機能部のフローチャート、図１２は図７に記載されたゲートウェイ装置の信号識別子のデータレイアウト及び信号識別子生成のフローチャート、図１３は図７に記載されたゲートウェイ装置のＩＰ網からの発信によるフローチャートを示す。
【００２８】
図７において、本発明の第２の実施形態に係るゲートウェイ装置は、前記第１の実施形態と同様に前記ＭＧＣＦ１、前記ＳＧＣＦ２及びＭＧ３を備える構成であり、移動局８の前記ＡＴＭ網５又は前記ＩＰ網７を経由する通信を中継する無線基地局を必要に応じて切り替えるＨａｎｄ  Ｏｖｅｒ；ハンドオーバ（ＨＯ）を機能として有する移動体通信システムの通信手順に関する実施形態である。
また、前記移動局８と前記ＡＴＭ網５又は前記ＩＰ網７との接続構成は、図８に示すように、前記移動局８と無線通信を行う基地局８１と、この基地局８１を制御する無線基地局制御装置８２と、この無線基地局制御装置８２からの通信情報を受信して前記ＡＴＭ網５又は前記ＩＰ網７にこの通信情報を伝播する移動交換局８３を備える構成である。なお、前記ハンドオーバは、同図に示すように、前記基地局８１ａ及び前記基地局８１ｂに捕捉されて通信を行う前記移動局８の矢印で示す物理的な移動により前記基地局８１ａ及び前記基地局８１ｂの電波の届く範囲から離れた場合でも、前記基地局８１ｃ及び前記基地局８１ｄから前記移動局８を電波で捕捉することにより、途切れることなく通信を行う機能である。
【００２９】
以下、前記構成に基づく本ゲートウェイ装置の動作について説明する。
本ゲートウェイ装置の前記ＡＴＭ網５からの発信による処理の流れに関して、前記ＡＴＭ網５は、前記移動局８からの電話発信により、前記基地局８１、無線基地局制御装置８２及び前記移動交換局８３を経由して通信情報を受信する。この後、本ゲートウェイ装置の前記ＳＧＣＦ２は、図９（ａ）及び図１０に示すように、前記ＡＴＭ網５から呼に相当するｐａｔｈ；パスの確立の要求を受信する。
【００３０】
具体的には、前記ＳＧＣＦ２は、前記ＡＴＭ網５を利用する移動体通信システムの通信手順でありＩｎｔｅｒｎａｔｉｏｎａｌ Ｔｅｌｅｃｏｍｍｕｎｉｃａｔｉｏｎ Ｕｎｉｏｎ：国際電気通信連合（以下、ＩＴＵと略記）にて策定されたＡｃｃｅｓｓ  Ｌｉｎｋ  Ｃｏｎｔｒｏｌ  Ａｐｐｌｉｃａｔｉｏｎ  Ｐａｒｔ（ＡＬＣＡＰ）に準拠したＥｓｔａｂｌｉｓｈ  Ｒｅｑｕｅｓｔ  Ｍｅｓｓａｇｅ信号（ＥＲＱ信号）を受信する（Ｓ４１）。このＥＲＱ信号は、前記伝送経路４を特定するＶｉｒｔｕａｌ Ｐａｔｈ Ｃｏｎｎｅｃｔｉｏｎ Ｉｄｅｎｔｉｆｉｅｒ；仮想パスコネクション識別子（ＶＰＣＩ）及びＯｒｉｇｉｎａｔｉｎｇ Ｐｏｉｎｔ Ｃｏｄｅ；発信局コード（ＯＰＣ）から構成される伝送経路情報を含む。
【００３１】
前記ＳＧＣＦ２は、前記振り分け機能部２３により、前記Ｓ４１で受信した信号を処理する前記ＭＧＣＳ１を振り分けて送信する。前記振り分け機能部２３は、図１１に示すように、この振り分け送信の処理に関して、まず前記Ｓ４１で受信した信号を前記ＥＲＱ信号か否かを判定する（Ｓ５１）。
【００３２】
前記振り分け機能部２３は、この判定により、この信号が前記ＥＲＱ信号に該当する場合には、前記ＥＲＱ信号に含まれる前記伝送経路情報を抽出する（Ｓ５２）。次に、前記振り分け機能部２３は、前記局情報２ａに基づいて前記伝送経路情報から特定された前記伝送経路４を管理する前記ＭＧＣＳ１を一意に識別するＭＧＣＳ番号を抽出する（Ｓ５３）。
【００３３】
前記信号送受信部２１は、図９に示すように、前記振り分け機能部２３により前記Ｓ５３で抽出されたＭＧＣＳ番号で識別されるＭＧＣＳ１１に前記ＥＲＱ信号を送信する（Ｓ４２）。前記ＭＧＣＳ１１は、前記サーバ側信号送受信部１１ａにより、前記ＥＲＱ信号を受信する。
前記ＭＧＣＳ１１は、前記信号識別子生成部１１ｂにより、識別子としてＳｉｇｎａｌｉｎｇ ａｓｓｏｃｉａｔｉｏｎ Ｉｄｅｎｔｉｆｉｅｒ；信号識別子（以下、ＳＡＩＤと略記）を生成する。このＳＡＩＤは、図１２（ａ）に示すように、前記ＭＧＣＳ１１に固有の番号であるＭＧＣＳ番号及び通番から構成することもできる。
【００３４】
また、前記信号識別子生成部１１ｂは、前記ＭＧＣＳ番号及び通番として前記ＳＡＩＤを生成する場合には、前記ＳＡＩＤ生成の流れに関して、同図（ｂ）に示すように、まず受信した信号に対して前記ＥＲＱ信号か否かを判定する（Ｓ６１）。前記信号識別子生成部１１ｂは、この判定によりこの信号が前記ＥＲＱ信号に該当する場合には、前記ＭＧＣＳ１の各々に固有の番号であるＭＧＣＳ番号を前記ＳＡＩＤに設定する（Ｓ６２）。また、前記信号識別子生成部１１ｂは、前記ＳＡＩＤに通番を設定する（Ｓ６３）。
【００３５】
前記ＭＧＣＳ１１は、前記サーバ側信号送受信部１１ａにより、前記ＥＲＱ信号の応答信号となるＥｓｔａｂｌｉｓｈ Ｃｏｎｆｉｒｍ ｍｅｓｓａｇｅ信号（以下、ＥＣＦ信号と略記）のＯｒｉｇｉｎａｔｅ Ｓｉｇｎａｌｉｎｇ ａｓｓｏｃｉａｔｉｏｎ Ｉｄｅｎｔｉｆｉｅｒ；送信元信号識別子（以下、ＯＳＡＩＤと略記）項目に、前記ＳＡＩＤの内容を設定する。前記ＭＧＣＳ１１は、前記サーバ側信号送受信部１１ａにより、このＥＣＦ信号を前記ＳＧＣＦ２に送信する（Ｓ４３）。
【００３６】
前記ＳＧＣＦ２は、前記信号送受信部２１により、前記ＥＣＦ信号を受信し、前記ＥＲＱ信号の送信元宛に前記ＥＣＦ信号を前記ＡＴＭ網５に対して送信する（Ｓ４４）。この後、前記ＳＧＣＦ２は、前記信号送受信部２１により、前記ＥＣＦ信号及び前記ＥＲＱ信号に後続する同一トランザクションとして、例えば、前記ＡＬＣＡＰに準拠した呼切断信号であるＲｅｌｅａｓｅ信号（以下、ＲＥＬ信号と略記）を受信する（Ｓ４５）。
前記ＳＧＣＦ２は、前記信号識別子抽出部２２により、前記図１１に示すように、前記Ｓ５１の判定において受信した信号がＥＲＱ信号に該当しない場合、前記ＲＥＬ信号のＤｅｓｔｉｎａｔｉｏｎ Ｓｉｇｎａｌｉｎｇ ａｓｓｏｃｉａｔｉｏｎ Ｉｄｅｎｔｉｆｉｅｒ；送信先信号識別子（以下、ＤＳＡＩＤと略記）項目から前記ＭＧＣＳ番号を抽出する（Ｓ５４）。なお、前記ＩＡＭ信号に後続する前記ＥＲＱ信号と同一のトランザクションである総ての信号は、前記ＡＬＣＡＰの通信手順の規約において、前記ＥＲＱ信号の送信元に受信された前記ＩＡＡ信号に含まれる前記ＯＳＡＩＤ項目の内容を前記ＤＳＡＩＤ項目に一律に設定される。この後、前記ＳＧＣＦ２は、前記信号識別子抽出部２２により、抽出された前記ＭＧＣＳ番号に対応した前記ＭＧＣＳ１１に前記ＲＥＬ信号を送信する（Ｓ４６）。
【００３７】
また、本ゲートウェイ装置の前記ＩＰ網７からの発信による処理の流れに関して、図９（ｂ）及び図１３に示すように、前記ＭＧＣＳ１２は、前記ＩＰ網７から呼に相当するｐａｔｈ；パスの確立において、前記ＩＰ網７を利用する移動体通信システムの通信手順であり前記ＩＴＵにて策定されたＩｎｔｅｒｎｅｔ Ｐｒｏｔｏｃｏｌ−Ａｃｃｅｓｓ  Ｌｉｎｋ  Ｃｏｎｔｒｏｌ  Ａｐｐｌｉｃａｔｉｏｎ  Ｐａｒｔ（以下、ＩＰ−ＡＬＣＡＰと略記）に準拠したＥｓｔａｂｌｉｓｈ  Ｒｅｑｕｅｓｔ  Ｍｅｓｓａｇｅ信号（以下、ＥＲＱ信号と略記）を受信する（Ｓ６１）。
【００３８】
前記ＭＧＣＳ１２は、前記信号識別子生成部１１ｂにより、前記ＳＡＩＤを生成する。前記ＭＧＣＳ１２は、前記サーバ側信号送受信部１１ａにより、前記ＥＲＱ信号の前記ＯＳＡＩＤ項目に前記ＳＡＩＤの内容を設定する。前記ＭＧＣＳ１２は、前記サーバ側信号送受信部１１ａにより、前記ＥＲＱ信号を前記ＳＧＣＦ２に送信する（Ｓ６２）。
前記ＳＧＣＦ２は、前記信号送受信部２１により、前記ＥＲＱ信号を受信し、前記ＥＲＱ信号の送信先宛に前記ＥＲＱ信号を前記ＡＴＭ網５に送信する（Ｓ６３）。この後、前記ＥＲＱ信号の応答信号となる前記ＥＣＦ信号を前記ＡＴＭ網５から受信する（Ｓ６４）。
【００３９】
前記ＳＧＣＦ２は、前記信号識別子抽出部２２により、前記ＥＣＦ信号の前記ＤＳＡＩＤ項目から前記ＭＧＣＳ番号を抽出する。前記ＳＧＣＦ２は、前記信号識別子抽出部２２により、抽出された前記ＭＧＣＳ番号に対応した前記ＭＧＣＳ１２に前記ＥＣＦ信号を送信する（Ｓ６５）。
なお、前記第１及び第２の実施形態において前記ＡＴＭ網５及び前記ＩＰ網７を中継して発着信を行う末端機器は、固定電話でもよいし、携帯電話のような移動電話でもよいし、インターネット電話やＩＰ電話でもよい。
【００４０】
（本発明の第３の実施形態）
以下、本発明の第３の実施形態に係るゲートウェイ装置を、図１４から図１８に基づいて説明する。
この図１４は本発明の第３の実施形態に係るゲートウェイ装置の構成を示すブロック図、図１５は図１４に記載されたゲートウェイ装置のＡＴＭ網からの発信におけるシーケンス図、図１６は図１４に記載されたゲートウェイ装置のＭＧＣＳ振り分けのフローチャート、図１７は図１４に記載されたゲートウェイ装置の負荷情報、サーバ負荷管理情報のレイアウト及びその遷移図、図１８は図１４に記載されたゲートウェイ装置の信号識別子のデータレイアウト及び信号識別子生成のフローチャートを示す説明図を示す。
【００４１】
図１４において、本発明の第３の実施形態に係るゲートウェイ装置は、前記第１及び前記第２の実施形態と同様に前記ＭＧＣＦ１、前記ＳＧＣＦ２及び前記ＭＧ３を備え、さらに前記ＭＧＣＳ１１に前記ＭＧＣＳ１１のシステム的な負荷情報を収集する負荷情報収集部１１ｃ及び前記シグナリングゲートウェイ制御手段２に前記メディアゲートウェイ制御サーバ１１に関するサーバ負荷管理情報２ｂを管理する負荷状態管理部２４を追加して備える構成であり、前記伝送経路４の選択決定権を本ゲートウェイ装置の有する通信手順にて所定の受信信号に対して複数の前記伝送経路４のうちから選択可能な場合の実施形態である。
【００４２】
以下、前記構成に基づく本ゲートウェイ装置の動作について説明する。
本ゲートウェイ装置の前記ＡＴＭ網５からの発信による処理の流れに関して、前記ＳＧＣＦ２は、図１５に示すように、通信情報を受信した前記ＡＴＭ網５から呼の確立の要求である前記ＩＡＭを受信する（Ｓ７１）。
前記ＳＧＣＦ２は、図１６に示すように、前記ＩＡＭを受信した後（Ｓ９１）、前記サーバ負荷管理情報２ｂに前記ＭＧＣＦ１に関する総ての負荷情報を未蓄積の場合（Ｓ９２）には、前記振り分け機能部２３により前記ＭＧＣＳ１をラウンドロビン方式等の振り分け方式を用いて順に選択してこの受信した前記ＩＡＭを送信する（Ｓ９３）。本実施形態では、図１５に示すように、前記ＳＧＣＦ２は、まず前記ＭＧＣＳ１１を選択し、前記ＩＡＭを送信する（Ｓ７２）。
【００４３】
前記ＭＧＣＳ１１は、負荷情報を前記負荷情報収集部１１ｃにより収集する。この負荷情報は、図１７に示すように、前記ＭＧＣＳ１のＣＰＵ使用率、バッファ使用率及び接続数から構成することができる。また、前記ＭＧＣＳ１は、この負荷情報を定期的に取得してもよいし、前記ＩＡＭを受信した時点で取得してもよい。
前記ＭＧＣＳ１１は、図１８（ａ）に示すように、前記負荷情報を前記ＳＩＤ又は前記ＳＡＩＤ等の前記信号識別子に設定する。前記信号識別子生成部１１ｂは、同図（ｂ）に示すように、前記信号識別子の生成の流れに関して、まず受信した信号に対して前記ＩＡＭ信号か否かを判定する（Ｓ１０１）。
【００４４】
前記信号識別子生成部１１ｂは、この判定によりこの信号が前記ＩＡＭ信号に該当する場合には、前記ＭＧＣＳ１の各々に固有の番号であるＭＧＣＳ番号を前記信号識別子に設定する（Ｓ１０２）。また、前記負荷情報収集部１１ｃは、前記ＭＧＣＳ１の前記負荷情報を収集する（Ｓ１０３）。
前記信号識別子生成部１１ｂは、前記信号識別子に前記負荷情報を設定し（Ｓ１０４）、通番を設定する（Ｓ１０５）。このように生成された前記信号識別子を前記ＩＡＭ信号の応答信号である前記ＩＡＡ信号に設定し、図１５に示すように、前記ＭＧＣＳ１３から前記ＳＧＣＦ２に対して前記ＩＡＡ信号を送信する（Ｓ７３）。
【００４５】
前記ＩＡＡ信号を受信した前記ＳＧＣＦ２は、前記信号識別子抽出部２２により抽出された前記信号識別子に含まれる前記負荷情報に基づいて、前記負荷状態管理部２４により前記サーバ負荷管理情報２ｂに登録する。前記サーバ負荷管理情報２ｂは、図１７（ｂ）に示すように、前記ＳＧＣＦ２を識別するＳＧＣＦ番号ごとに前記負荷情報から構成される。
この場合、前記ＩＡＡ信号を受信した前記ＳＧＣＦ２は、同図（ｃ−１）に示すように、処理を行った前記ＭＧＣＳ１１に関して、ＣＰＵ使用率１０％、バッファ使用率２０％及び接続数１となる前記負荷情報を前記サーバ負荷管理情報２ｂに登録する。この登録後、前記ＳＧＣＦ２は、図１５に示すように、前記ＩＡＡ信号を前記ＡＴＭ網５に送信する（Ｓ７４）。
【００４６】
また、上記と同様に、前記ＳＧＣＦ２は、前記ＡＴＭ網５から前記ＩＡＭ信号を受信し（Ｓ７５）、受信した前記ＩＡＭ信号を前記振り分け機能部２３により前記ＭＧＣＳ１２へ送信する（Ｓ７６）。前記ＭＧＣＳ１２は、前記負荷情報を取得して前記ＩＡＡ信号に設定して前記ＳＧＣＦ２に送信する（Ｓ７７）。
前記ＩＡＡ信号を受信した前記ＳＧＣＦ２は、図１７（ｃ−２）に示すように、処理を行った前記ＭＧＣＳ１２に関して、ＣＰＵ使用率３０％、バッファ使用率２０％及び接続数１となる前記負荷情報を前記サーバ負荷管理情報２ｂに登録する。この登録後、前記ＳＧＣＦ２は、図１５に示すように、前記ＩＡＡ信号を前記ＡＴＭ網５に送信する（Ｓ７８）。
【００４７】
さらに、上記と同様に、前記ＳＧＣＦ２は、前記ＡＴＭ網５から前記ＩＡＭ信号を受信し（Ｓ７９）、受信した前記ＩＡＭ信号を前記ＭＧＣＳ１３へ送信する（Ｓ８０）。前記ＭＧＣＳ１３は、前記負荷情報を取得して前記ＩＡＡ信号に設定して前記ＳＧＣＦ２に送信する（Ｓ８１）。
前記ＩＡＡ信号を受信した前記ＳＧＣＦ２は、図１７（ｃ−３）に示すように、処理を行った前記ＭＧＣＳ１３に関して、ＣＰＵ使用率５０％、バッファ使用率３０％及び接続数１となる前記負荷情報を前記サーバ負荷管理情報２ｂに登録する。この登録後、前記ＳＧＣＦ２は、図１５に示すように、前記ＩＡＡ信号を前記ＡＴＭ網５に送信する（Ｓ８２）。
【００４８】
上記に従い、前記サーバ負荷管理情報２ｂに情報を蓄積された後、上記と同様に、前記ＳＧＣＦ２は、前記ＡＴＭ網５から前記ＩＡＭ信号を受信する（Ｓ８３）。前記ＳＧＣＦ２は、図１６に示すように、前記サーバ負荷管理情報２ｂに基づいてシステム的に最も負荷の低い前記ＭＧＣＳ１を選択する（Ｓ９４）。この場合、前記ＳＧＣＦ２は、図１５に示すように、前記振り分け機能部２３により、前記サーバ負荷管理情報２ｂに基づいてシステム的に最も負荷の低い前記ＭＧＣＳ１１に前記ＩＡＭ信号を送信する（Ｓ８４）。
【００４９】
このように、前記ＳＧＣＦ２は、前記呼確立信号である前記ＩＡＭ信号の受信の都度に前記サーバ負荷管理情報２ｂの情報を更新することとなり、常に最新の情報に基づいて負荷の低い前記ＭＧＣＳ１１に前記ＩＡＭ信号を送信することができる。また、前記ＳＧＣＦ２は、従来の負荷状態を考慮しない単純なラウンドロビン方式で発生する可能性のある呼損失を回避することができる。
【００５０】
また、上記の負荷分散方法は、負荷状態を監視する機能部へ都度に問い合わせることにより前記ＭＧＣＳ１１の負荷分散を行い前記ＳＧＣＦ２及び前記ＭＧＣＳ１１の負荷をこの問い合わせにより増加させる従来の方法と比較して、余分な負荷を増加させずに負荷分散を実現することができる。
また、前記サーバ負荷管理情報２ｂの各項目に対してシステムの規模及び傾向の要素を含めた重み付けを設定することにより、前記ＳＧＣＦ２は、システムの規模及び傾向に適した負荷判断を行うこともできる。また、前記サーバ負荷管理情報２ｂを蓄積することにより、前記ＳＧＣＦ２は、前記サーバ負荷管理情報２ｂの傾向を分析して得られる負荷予測に基づいた負荷判断を行うこともできる。
【００５１】
（本発明の第４の実施形態）
以下、本発明の第４の実施形態に係るゲートウェイ装置を、図１９から図２３に基づいて説明する。
この図１９は本発明の第４の実施形態に係るゲートウェイ装置の構成を示すブロック図、図２０は図１９に記載されたゲートウェイ装置のサーバ負荷管理情報のレイアウト及びその遷移図、図２１は図１９に記載されたゲートウェイ装置のシーケンス図、図２２は図１９に記載されたゲートウェイ装置のフローチャート、図２３は図１９に記載されたゲートウェイ装置の有効期限判定のフローチャートを示す。
【００５２】
図１９において、本発明の第４の実施形態に係るゲートウェイ装置は、前記第３の実施形態と同様に前記ＭＧＣＦ１、前記ＳＧＣＦ２及び前記ＭＧ３を備え、さらに前記ＳＧＣＦ２にサーバ負荷管理情報２ｂの最新の前記負荷情報に関する有効期限の判定を行う有効期限判定部２５を追加して備える構成である。
また、前記サーバ負荷管理情報２ｂのレイアウトは、図２０（ａ）に示すように、前記図１７で示した前記第３の実施形態のレイアウトに前記ＳＧＣＦ２の前記サーバ負荷管理情報２ｂへのデータ登録時刻を記録するタイムスタンプ項目を追加したものである。
以下、前記構成に基づく本ゲートウェイ装置の動作について説明する。
【００５３】
本ゲートウェイ装置の前記ＡＴＭ網５からの発信による処理の流れに関して、前記ＳＧＣＦ２は、図２１及び図２２に示すように、前記ＡＴＭ網５からの前記ＩＡＭ信号を前記ＭＧＣＳ１３に送信して処理する（Ｓ２０１）。
ここで、本実施形態に追加された有効期限判定に関して、前記ＳＧＣＦ２は、図２３に示すように、前記ＭＧＣＳ１１に対してこの有効期限判定に用いる監視タイマーを初期化し（Ｓ３０１）、この監視タイマーを発行し（Ｓ３０２）、呼確立信号である前記ＩＡＭ信号の受信待ち状態に遷移する（Ｓ３０３）。前記ＳＧＣＦ２は、この監視タイマーの有効期限以内（Ｓ３０４）で前記ＩＡＭ信号を受信した場合（Ｓ３０５）に、この監視タイマーをキャンセルし（Ｓ３０６）、この監視タイマーを新たに発行し（Ｓ３０７）、再度、前記Ｓ３０３の前記ＩＡＭ信号の受信待ち状態に遷移する。
【００５４】
前記ＭＧＣＳ１３のこの受信待ち状態において、前記ＳＧＣＦ２は、図２１及び図２２に示すように、前記ＡＴＭ網５からの前記ＩＡＭ信号を前記ＭＧＣＳ１１及び前記ＭＧＣＳ１２に送信して処理する（Ｓ２０２）。前記ＳＧＣＦ２は、図２３に示すように、この監視タイマーの有効期限内に前記ＭＧＣＳ１３により前記ＩＡＭ信号を処理されないと前記有効期限判定部２５に判断された場合（Ｓ３０４）には、前記ＭＧＣＳ１３に関する前記サーバ負荷管理情報２ｂの情報を前記負荷状態管理部２４により初期化してもよい（Ｓ３０８）。この後、再度、前記Ｓ３０３の前記ＩＡＭ信号の受信待ち状態に遷移する。
【００５５】
また、前記サーバ負荷管理情報２ｂは、図２０（ｂ−１）に示すように、総ての情報を登録されている場合において、前記ＭＧＣＳ番号項目の３に該当する前記ＭＧＣＳ１３の前記タイムスタンプ項目に関して有効期限を超過したと前記有効期限判定部２５に判断された場合には、同図（ｂ−２）に示すように、前記ＭＧＣＳ１３の総ての項目に対して初期化されることもできる。前記振り分け機能部２３は、前記ＭＧＣＳ１１から１３のサーバのうち前記サーバ負荷管理情報２ｂを初期化されたサーバに最優先で呼確立信号を送信する機能を実装することにより、一定期間処理を行っていないこの初期化されたサーバに最優先で呼確立信号を送信することができる。
【００５６】
また、前記サーバ負荷管理情報２ｂは、同図（ｂ−３）に示すように、有効期限を超過したと前記有効期限判定部２５に判断された場合には、該当する前記サーバのタイムスタンプ項目のみを初期化されてもよい。この場合には、前記振り分け機能部２３は、前記サーバ負荷管理情報２ｂの前記タイムスタンプ項目を初期化された前記サーバに最優先で呼確立信号を送信する機能を実装することにより、一定期間処理を行っていないこの前記タイムスタンプ項目を初期化されたサーバに最優先で呼確立信号を送信することができる。
【００５７】
本ゲートウェイ装置は、この仕組みにより、負荷の低い状態にも関わらず他の前記サーバと比較して相対的に負荷の高い状態と判断されたために一定期間処理を行っていない前記サーバに対しても、呼確立信号の送受信を処理できることとなり、前記サーバ間の一層の負荷分散を図ることができる。また、相対的に負荷の高い状態に起因して一定期間処理を行っていない前記サーバの存在も想定されるが、本ゲートウェイ装置は、このサーバに対して最優先で呼確立信号を処理させることにより最新の前記負荷情報を前記ＳＧＣＦ２で取得することとなり、前記スケーラビリティを考慮して複数の前記サーバの常時稼動を継続する観点から信号処理を分配されないサーバの放置を防止することができる。
【００５８】
また、前記ＳＧＣＦ２は、相対的に負荷の高い状態のために一定期間処理を行っていない前記サーバの存在を考慮して、一定期間処理を行っていない前記サーバに対してＩＰのエラーメッセージ及び制御メッセージを転送するプロトコルであるＩｎｔｅｒｎｅｔ Ｃｏｎｔｒｏｌ Ｍｅｓｓａｇｅ Ｐｒｏｔｏｃｏｌ（ＩＣＭＰ）に準拠するＰＩＮＧコマンドによるＩＣＭＰパケットを送信してもよい。この場合、前記ＳＧＣＦ２は、呼確立信号を使用することなく前記サーバの負荷情報を取得することとなり、呼確立信号の損失する可能性を回避することができる。
【００５９】
また、本ゲートウェイ装置の利用者は、最新の前記負荷情報に基づいて前記サーバの高負荷状態の継続を検知した場合には、前記サーバ負荷管理情報２ｂの内容を分析して調査することができ、システム障害を未然に防止することもできる。なお、上記の第３及び第４の実施形態は、前記ＡＴＭ網５からの前記ＩＡＭ信号を受信する場合を記載したが、この場合に限定されることはなく、前記第１及び第２の実施形態における前記ＡＬＣＡＰ信号、前記ＩＰ網７からの前記ＩＮＶＩＴＥ信号及び前記ＩＰ−ＡＬＣＡＰ信号を受信する場合に対しても同様に適用することができる。
【００６０】
（付記１）ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能手段と、前記メディアゲートウェイ制御機能手段の前記メディアゲートウェイ制御サーバに対して前記信号を分配制御するシグナリングゲートウェイ制御手段とを備えるゲートウェイ装置において、前記メディアゲートウェイ制御機能手段が、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成部を備え、前記シグナリングゲートウェイ制御手段が、前記第一の信号と同一のトランザクションであり前記第一の信号に後続する第二の信号の受信時に、当該第二の信号に含まれる信号識別子を抽出する信号識別子抽出部、及び、当該抽出された信号識別子に基づいて特定されるメディアゲートウェイ制御サーバに対して当該第二の信号の送受信処理を振り分けて指示する振り分け機能部を備えることを特徴とするゲートウェイ装置。
【００６１】
（付記２）前記メディアゲートウェイ制御機能手段の前記信号識別子生成部は、前記第一の信号の受信の都度に更新される通し番号を生成し、当該生成された通し番号及び前記メディアゲートウェイ制御サーバに固有の識別情報から構成される前記信号識別子を生成することを特徴とする付記１記載のゲートウェイ装置。
【００６２】
（付記３）前記メディアゲートウェイ制御機能手段が、前記信号識別子の生成時に前記メディアゲートウェイ制御サーバにおけるシステム的な負荷状況に関する負荷情報を収集する負荷情報収集部を備え、前記信号識別子生成部は、当該負荷情報収集部が収集した前記負荷情報を含む前記信号識別子を生成し、前記シグナリングゲートウェイ制御手段が、前記第一の信号の送受信時に前記信号識別子抽出部により抽出された前記負荷情報に基づいて当該負荷情報を少なくとも管理するサーバ負荷情報管理部を備え、前記振り分け機能部は、当該サーバ負荷情報管理部により管理される最新の前記負荷情報に基づいて前記負荷状況の最も低い前記メディアゲートウェイ制御サーバを選択して前記第一の信号を振り分けることを特徴とする付記１又は付記２記載のゲートウェイ装置。
【００６３】
（付記４）前記シグナリングゲートウェイ制御手段が、前記負荷情報の有効性に関する所定の有効期限を保持し、所定の前記メディアゲートウェイ制御サーバに関する前記負荷情報に対して最後の更新時から当該有効期限の時間内に更新されたか否かを判定する有効期限判定部を備え、前記振り分け機能部は、当該有効期限判定部の判定結果に基づいて前記メディアゲートウェイ制御サーバに対して前記第一の信号の送受信処理を振り分けて指示することを特徴とする付記３記載のゲートウェイ装置。
【００６４】
（付記５）ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能工程と、前記メディアゲートウェイ制御機能工程の前記メディアゲートウェイ制御サーバに対して前記信号を分配制御するシグナリングゲートウェイ制御工程とを備えるゲートウェイ方法において、前記メディアゲートウェイ制御機能工程は、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成工程を含み、前記シグナリングゲートウェイ制御工程は、前記第一の信号と同一のトランザクションであり前記第一の信号に後続する第二の信号の受信時に、当該第二の信号に含まれる信号識別子を抽出する信号識別子抽出工程、及び、当該抽出された信号識別子に基づいて特定されるメディアゲートウェイ制御サーバに対して当該第二の信号の送受信処理を振り分けて指示する振り分け工程を含むことを特徴とするゲートウェイ方法。
【００６５】
（付記６）前記メディアゲートウェイ制御機能工程の前記信号識別子生成工程は、前記第一の信号の受信の都度に更新される通し番号を生成し、当該生成された通し番号及び前記メディアゲートウェイ制御サーバに固有の識別情報から構成される前記信号識別子を生成することを特徴とする付記５記載のゲートウェイ方法。
【００６６】
（付記７）前記メディアゲートウェイ制御機能工程が、前記信号識別子の生成時に前記メディアゲートウェイ制御サーバにおけるシステム的な負荷状況に関する負荷情報を収集する負荷情報収集部を備え、前記信号識別子生成工程は、当該負荷情報収集部が収集した前記負荷情報を含む前記信号識別子を生成し、前記シグナリングゲートウェイ制御工程が、前記第一の信号の送受信時に前記信号識別子抽出部により抽出された前記負荷情報に基づいて当該負荷情報を少なくとも管理するサーバ負荷情報管理部を備え、前記振り分け機能工程は、当該サーバ負荷情報管理部により管理される最新の前記負荷情報に基づいて前記負荷状況の最も低い前記メディアゲートウェイ制御サーバを選択して前記第一の信号を振り分けることを特徴とする付記５又は付記６記載のゲートウェイ方法。
【００６７】
（付記８）前記シグナリングゲートウェイ制御工程が、前記負荷情報の有効性に関する所定の有効期限を保持し、所定の前記メディアゲートウェイ制御サーバに関する前記負荷情報に対して最後の更新時から当該有効期限の時間内に更新されたか否かを判定する有効期限判定部を備え、前記振り分け機能工程は、当該有効期限判定部の判定結果に基づいて前記メディアゲートウェイ制御サーバに対して前記第一の信号の送受信処理を振り分けて指示することを特徴とする付記７記載のゲートウェイ方法。
【００６８】
（付記９）ＡＴＭ（Ａｎｓｙｎｃｈｒｏｎｏｕｓ  Ｔｒａｎｓｆｅｒ  Ｍｏｄｅ）網及びＩＰ（Ｉｎｔｅｒｎｅｔ  Ｐｒｏｔｏｃｏｌ）網を含む通信手順の異なる複数の網間に設けられ、当該網間で通信される信号を伝送する複数の伝送経路の各々に対応付けられて設けられる複数のメディアゲートウェイ制御サーバを統括して当該信号の伝送処理を行うメディアゲートウェイ制御機能手段と、前記メディアゲートウェイ制御機能手段の前記メディアゲートウェイ制御サーバに対して前記信号を分配制御するシグナリングゲートウェイ制御手段としてコンピュータを機能させるゲートウェイプログラムにおいて、前記メディアゲートウェイ制御機能手段は、ＡＴＭ網又はＩＰ網からの呼又はコネクション確立に関する第一の信号に対してトランザクションを一意に識別し且つ複数の前記伝送経路を区別できる情報を含む信号識別子を生成する信号識別子生成部としてコンピュータを機能させ、前記シグナリングゲートウェイ制御手段は、前記第一の信号と同一のトランザクションであり前記第一の信号に後続する第二の信号の受信時に、当該第二の信号に含まれる信号識別子を抽出する信号識別子抽出部、及び、当該抽出された信号識別子に基づいて特定されるメディアゲートウェイ制御サーバに対して当該第二の信号の送受信処理を振り分けて指示する振り分け機能部としてコンピュータを機能させることを特徴とするゲートウェイプログラム。
【００６９】
（付記１０）前記メディアゲートウェイ制御機能手段の前記信号識別子生成部は、前記第一の信号の受信の都度に更新される通し番号を生成し、当該生成された通し番号及び前記メディアゲートウェイ制御サーバに固有の識別情報から構成される前記信号識別子を生成することを特徴とする付記９記載のゲートウェイプログラム。
【００７０】
（付記１１）前記メディアゲートウェイ制御機能手段が、前記信号識別子の生成時に前記メディアゲートウェイ制御サーバにおけるシステム的な負荷状況に関する負荷情報を収集する負荷情報収集部を備え、前記信号識別子生成部は、当該負荷情報収集部が収集した前記負荷情報を含む前記信号識別子を生成し、前記シグナリングゲートウェイ制御手段が、前記第一の信号の送受信時に前記信号識別子抽出部により抽出された前記負荷情報に基づいて当該負荷情報を少なくとも管理するサーバ負荷情報管理部を備え、前記振り分け機能部は、当該サーバ負荷情報管理部により管理される最新の前記負荷情報に基づいて前記負荷状況の最も低い前記メディアゲートウェイ制御サーバを選択して前記第一の信号を振り分けることを特徴とする付記８又は付記９記載のゲートウェイプログラム。
【００７１】
（付記１２）前記シグナリングゲートウェイ制御手段が、前記負荷情報の有効性に関する所定の有効期限を保持し、所定の前記メディアゲートウェイ制御サーバに関する前記負荷情報に対して最後の更新時から当該有効期限の時間内に更新されたか否かを判定する有効期限判定部を備え、前記振り分け機能部は、当該有効期限判定部の判定結果に基づいて前記振り分け機能部により前記メディアゲートウェイ制御サーバに対して前記第一の信号の送受信処理を振り分けて指示することを特徴とする付記１１記載のゲートウェイプログラム。
【図面の簡単な説明】
【００７２】
【図１】本発明の第１の実施形態に係るゲートウェイ装置の構成を示すブロック図
【図２】本発明の第１の実施形態に係るゲートウェイ装置のシーケンス図
【図３】本発明の第１の実施形態に係るゲートウェイ装置のＡＴＭ網からの発信によるフローチャート
【図４】本発明の第１の実施形態に係るゲートウェイ装置の振り分け機能部のフローチャート
【図５】本発明の第１の実施形態に係るゲートウェイ装置の信号識別子のデータレイアウト及び信号識別子生成のフローチャート
【図６】本発明の第１の実施形態に係るゲートウェイ装置のＩＰ網からの発信によるフローチャート
【図７】本発明の第２の実施形態に係るゲートウェイ装置の構成を示すブロック図
【図８】本発明の第２の実施形態に係るゲートウェイ装置の移動局とＡＴＭ網又はＩＰ網との接続構成図
【図９】本発明の第２の実施形態に係るゲートウェイ装置のシーケンス図
【図１０】本発明の第２の実施形態に係るゲートウェイ装置のＡＴＭ網からの発信によるフローチャート
【図１１】本発明の第２の実施形態に係るゲートウェイ装置の振り分け機能部のフローチャート
【図１２】本発明の第２の実施形態に係るゲートウェイ装置の信号識別子のデータレイアウト及び信号識別子生成のフローチャート
【図１３】本発明の第２の実施形態に係るゲートウェイ装置のＩＰ網からの発信によるフローチャート
【図１４】本発明の第３の実施形態に係るゲートウェイ装置の構成を示すブロック図
【図１５】本発明の第３の実施形態に係るゲートウェイ装置のＡＴＭ網からの発信におけるシーケンス図
【図１６】本発明の第３の実施形態に係るゲートウェイ装置のＭＧＣＳ振り分けのフローチャート
【図１７】本発明の第３の実施形態に係るゲートウェイ装置の負荷情報、サーバ負荷管理情報のレイアウト及びその遷移図
【図１８】本発明の第３の実施形態に係るゲートウェイ装置の信号識別子のデータレイアウト及び信号識別子生成のフローチャート
【図１９】本発明の第４の実施形態に係るゲートウェイ装置の構成を示すブロック図
【図２０】本発明の第４の実施形態に係るゲートウェイ装置のサーバ負荷管理情報のレイアウト及びその遷移図
【図２１】本発明の第４の実施形態に係るゲートウェイ装置のシーケンス図
【図２２】本発明の第４の実施形態に係るゲートウェイ装置のフローチャート
【図２３】本発明の第４の実施形態に係るゲートウェイ装置のＭＧＣＳ振り分けのフローチャート
【符号の説明】
【００７３】
１  メディアゲートウェイ制御機能手段（ＭＧＣＦ）
１１〜１３  メディアゲートウェイ制御サーバ（ＭＧＣＳ）
１１ａ  サーバ側信号送受信部
１１ｂ  信号識別子生成部
１１ｃ  負荷情報収集部
２  シグナリングゲートウェイ制御手段（ＳＧＣＦ）
２ａ  局情報
２ｂ  サーバ負荷管理情報
２１  信号送受信部
２２  信号識別子抽出部
２３  振り分け機能部
２４  負荷状態管理部
２５  有効期限判定部
３  メディアゲートウェイ手段（ＭＧ）
４  伝送経路
４１〜４３  伝送経路
５  ＡＴＭ網
６  Ｎｏ．７共通線信号方式網
７  ＩＰ網
８  移動局
８１ａ〜８１ｄ  基地局
８２  無線基地局制御装置
８３  移動交換局
【図１】
2009225171.tif 000003
【図２】
2009225171.tif 000004
【図３】
2009225171.tif 000005
【図４】
2009225171.tif 000006
【図５】
2009225171.tif 000007
【図６】
2009225171.tif 000008
【図７】
2009225171.tif 000009
【図８】
2009225171.tif 000010
【図９】
2009225171.tif 000011
【図１０】
2009225171.tif 000012
【図１１】
2009225171.tif 000013
【図１２】
2009225171.tif 000014
【図１３】
2009225171.tif 000015
【図１４】
2009225171.tif 000016
【図１５】
2009225171.tif 000017
【図１６】
2009225171.tif 000018
【図１７】
2009225171.tif 000019
【図１８】
2009225171.tif 000020
【図１９】
2009225171.tif 000021
【図２０】
2009225171.tif 000022
【図２１】
2009225171.tif 000023
【図２２】
2009225171.tif 000024
【図２３】
2009225171.tif 000025